(57)【要約】【課題】実行中の複数のアプリケーションの画面表示を、簡単な操作で切り替える。【解決手段】実行中のアプリケーションの画面表示を含むページを複数記憶するページ記憶部（７）と、ユーザの表示切り替え指示に基づいて、拡張エリア（２２）に表示するページをページ記憶部（７）から取得したページに切り替える拡張エリア表示制御部（４２）を備える。【選択図】図１
2014119914.tif 000002
【特許請求の範囲】
【請求項１】
複数のアプリケーションを実行し、該実行中のアプリケーションが生成する画面表示を表示する表示装置であって、
上記画面表示を表示する複数の表示エリアと、
上記複数の表示エリアのうち、特定の表示エリアの表示を切り替える指示を取得する表示切り替え指示取得手段と、
上記表示切り替え指示取得手段が取得した指示に基づいて、上記特定の表示エリア以外の表示エリアに表示する画面表示を生成するアプリケーションは変更せずに、上記特定の表示エリアに表示する画面表示を生成するアプリケーションを変更する表示制御手段と、を備えることを特徴とする表示装置。
【請求項２】
上記表示制御手段は、上記複数のアプリケーションがそれぞれ生成する複数の画面表示のうちの少なくとも２つ以上を、１つの上記特定の表示エリアに同時に表示させることを特徴とする請求項１に記載の表示装置。
【請求項３】
上記表示制御手段は、上記特定の表示エリアおよび上記特定の表示エリア以外の表示エリアの大きさを、互いに相補的に変更することを特徴とする請求項１または２に記載の表示装置。
【請求項４】
複数のアプリケーションを実行し、該実行中のアプリケーションが生成する画面表示を、複数の表示エリアを用いて表示する表示装置の制御方法であって、
上記複数の表示エリアのうち、特定の表示エリアの表示を切り替える指示を取得する表示切り替え指示取得ステップと、
上記表示切り替え指示取得ステップにて取得した指示に基づいて、上記特定の表示エリア以外の表示エリアに表示する画面表示を生成するアプリケーションは変更せずに、上記特定の表示エリアに表示する画面表示を生成するアプリケーションを変更する表示制御ステップと、を含むことを特徴とする表示装置の制御方法。
【請求項５】
請求項１から３のいずれか１項に記載の表示装置を動作させるための制御プログラムであって、コンピュータを上記各手段として機能させるための制御プログラム。
【発明の詳細な説明】
【技術分野】
【０００１】
本発明は、同じ表示画面に複数の表示領域を有し、複数のアプリケーションソフトウェアを同時に実行する表示装置等に関する。
【背景技術】
【０００２】
近年、スマートフォンでは、複数のアプリケーションソフトウェア（アプリ）を同時に実行させるようになってきている。例えば、計算機、ウェブカメラ、スケジュール管理（電子手帳機能）、天気予報、電子メール、その他のコミュニケーションアプリなどを同時に実行することで、スマートフォンの機能は好適に拡張できる。
【０００３】
しかしながら、実行している複数のアプリの画面表示をすべて、表示画面上において表示できるほどスマートフォンの表示画面は広くない。そこで、特許文献１には、縦画面から横画面への旋回（スイング）操作が可能な携帯装置に関する発明が開示されている。特許文献１に記載の携帯装置は、２以上のアプリを同時に実行可能であり、スイング操作に応じて起動するアプリおよび該アプリに対応する画面表示を選択できる。
【先行技術文献】
【特許文献】
【０００４】
【特許文献１】国際公開第２００９／０８４０８８号（２００９年０７月０９日公開）
【特許文献２】特開２０１０−０４４５９２号公報（２０１０年０２月２５日公開）
【発明の概要】
【発明が解決しようとする課題】
【０００５】
しかしながら、上述のような従来技術は、複数のアプリを同時に表示したときに、現在表示していない他のアプリに関する情報を簡単に表示させることができないという問題があった。具体的には、特許文献１では、スイング操作のたびに実行、あるいは表示されるアプリを切り替えるが、同時に複数のアプリに関する情報を表示しない。
【０００６】
本発明は上記課題を解決するためになされたものであり、その目的は、複数のアプリを実行しながら、各アプリの画面表示を、簡単で直観的な操作により円滑に切り替えることができる表示装置、表示装置の制御方法、表示装置の制御プログラムを提供することにある。
【課題を解決するための手段】
【０００７】
上記の課題を解決するために、本発明の一態様に係る表示装置は、複数のアプリケーションを実行して、該実行中のアプリケーションが生成する画面表示を表示する表示装置であって、上記画面表示を表示する複数の表示エリアと、上記複数の表示エリアのうち、特定の表示エリアの表示を切り替える指示を取得する表示切り替え指示取得手段と、上記表示切り替え指示取得手段が取得した指示に基づいて、上記特定の表示エリア以外の表示エリアに表示する画面表示を生成するアプリケーションは変更せずに、上記特定の表示エリアに表示する画面表示を生成するアプリケーションを変更する表示制御手段と、を備えている。
【０００８】
また、本発明の一態様に係る表示装置の制御方法は、複数のアプリケーションを実行し、該実行中のアプリケーションが生成する画面表示を、複数の表示エリアを用いて表示する表示装置の制御方法であって、上記複数の表示エリアのうち、特定の表示エリアの表示を切り替える指示を取得する表示切り替え指示取得ステップと、上記表示切り替え指示取得ステップにて取得した指示に基づいて、上記特定の表示エリア以外の表示エリアに表示する画面表示を生成するアプリケーションは変更せずに、上記特定の表示エリアに表示する画面表示を生成するアプリケーションを変更する表示制御ステップと、を含んでいる。
【発明の効果】
【０００９】
本発明の一態様によれば、複数のアプリの画面表示を特定の表示エリアに、ユーザの表示切り替え指示に応じてアプリを切り替え可能に表示させることができるため、複数のアプリを簡便に利用することができる、という効果を奏する。
【図面の簡単な説明】
【００１０】
【図１】本発明の実施形態に係るスマートフォンの要部を示す機能ブロック図である。
【図２】本発明の実施形態に係るスマートフォンの外観を示す図である。
【図３】本発明の実施形態に記載の拡張エリアの表示領域の構成例を示した図である。
【図４】図３に示す構成の拡張エリアの表示領域内にアプリの画面表示を割り当てた一例を示し、（ａ）はアプリＡ、（ｂ）はアプリＢ・Ｃ・Ｄ、（ｃ）はアプリＥを割り当てた状態を示した図である。
【図５】拡張エリアの表示を切り替えるために、表示画面に対してユーザが行う表示切り替え指示の入力操作の例を示す図である。
【図６】本発明の実施形態１において、拡張エリアの表示を切り替える動作について例示して説明する図である。
【図７】拡張エリアの数と配列について例示する図である。
【図８】本発明の実施形態２において、拡張エリアの表示範囲に合わせて標準エリアの表示範囲を変える動作について例示して説明する図である。
【図９】本発明の実施形態１に記載の表示切り替え動作と、標準エリアの表示と拡張エリアの表示を切り替える動作とを組み合わせた動作を例示して説明する図である。
【発明を実施するための形態】
【００１１】
以下、本発明の実施の一形態について、図１〜図９に基づいて説明すれば、以下のとおりである。ここでは、本発明の携帯情報端末をスマートフォン１に適用した例について説明するが、以下に説明するスマートフォン１は単なる一態様に過ぎない。本発明は、表示画面を有する情報処理機器全般に適用可能であり、特に、スマートフォン、ＰＨＳ（Personal Handy phone System）、携帯電話、携帯型のパーソナルコンピュータ、ハンディターミナルなどのような、携帯型の電子機器に好適に適用可能である。特に、複数のアプリケーションソフトウェア（アプリ）を同時に実行することが可能で、かつ実行している各アプリが出力する画像（画面表示）を表示画面に表示する情報処理端末において、本発明は好適に利用され得る。
【００１２】
〔実施形態１〕
本発明の一実施形態について、図１〜図６に基づいて説明すれば、以下のとおりである。以下、本実施形態について、詳細に説明する。
【００１３】
（スマートフォンの外観）
図２に示すように、本実施形態に係るスマートフォン１は、筐体の少なくとも１つの面に薄型液晶ディスプレイなどで構成された表示画面２を有している。表示画面２の前面には、タッチパネルが重畳されており、表示画面２はユーザの動作による操作入力が可能である。
【００１４】
なお、ユーザによる操作入力は、表示画面２への直接接触によるものに限定されず、例えば、静電誘導タイプのタッチセンサを用いて非接触の操作により入力してもよい。あるいは、スマートフォン１は音声解析機能を備え、音声による操作入力を行うようにしてもよい。
【００１５】
表示画面２は、標準エリア２１と拡張エリア２２（特定の表示エリア）との２つの表示エリアを有しており、それぞれの表示エリアにおいて、アプリの画面表示を同時に表示することが可能である。なお、本実施形態では、説明の簡素化のために拡張エリア２２が、標準エリア２１の下方（Ｙ軸の負の方向）側の辺に隣接している例について説明する。しかしながら、図７を用いて後に説明するように、拡張エリアの数と位置はこれに限定されず、さまざまに構成することが可能である。例えば、図２では、標準エリア２１が拡張エリア２２よりも広い表示面を有する場合を例示している。しかし、標準エリア２１よりも大きい表示面の拡張エリア２２であってもよい。
【００１６】
（スマートフォンの構成）
図１は、スマートフォン１の要部を示す機能ブロック図である。図１に示すように、スマートフォン１は、表示画面２、表示切り替え指示解析部３（表示切り替え指示取得手段）、表示制御部４（表示制御手段）、アプリ実行部５、ページ登録部６、およびページ記憶部７を備えている。なお、スマートフォン１は、通信装置、マイク、スピーカなど、電話機として機能するために必要な装置を備えているが、これらは発明の特徴点と直接関係がないため、ここでは図示していない。
【００１７】
表示画面２は、さらに、標準エリア２１、拡張エリア２２（特定の表示エリア）、および操作入力部２３を備えている。
【００１８】
標準エリア２１は、アプリケーション（アプリ）の画面表示を表示する表示エリアである。なお、標準エリア２１の表示の制御については、説明を省略する。
【００１９】
拡張エリア２２は、アプリ表示領域２２１とページ情報表示領域２２２とを備える表示エリアである。拡張エリア２２において表示するアプリの画面表示、１つあるいは複数のアプリの画面表示の画像データを配列した表示を「ページ」と呼ぶ。１つのページに含まれるアプリの画面表示は、１つであってもよいし、複数であってもよい。このように、１つ以上のアプリの画面表示の画像データを含む内容を１つの拡張エリア２２において表示するページについては、後に詳述する。
【００２０】
ページ情報表示領域２２２は、後述の拡張エリア表示切り替え指示部４４からアプリ表示領域２２１に表示されるページをユーザに通知するための情報（ページ情報）を表示する。このページ情報は、例えば、現在の拡張エリア２２で表示しているページが、切り替えることのできる全てのページのうち何番目に相当するのか、などの情報である。このページ情報表示領域２２２の利用法については、後に具体的に説明する。
【００２１】
なお、ページ情報は、本実施形態に記載するように、拡張エリア２２内においてアプリ表示領域２２１と独立した表示エリア（ページ情報表示領域２２２）を設けて表示してもよいし、拡張エリア２２内の任意の箇所に、簡単に表示するようにしてもよい。後者の例としては次のような表示が考えられる。例えば、ページ記憶部７に登録されている、拡張エリア２２において表示することが可能なページが６つあり、その中の２番目のページを拡張エリア２２に表示しているとする。この場合には、「２/６」等の表示を、拡張エリア２２の右下隅など好適な任意の箇所に小さく表示してもよい。
【００２２】
操作入力部２３は、スマートフォン１のユーザが表示画面２に対して行うタッチ操作を受け付ける。さらに、操作入力部２３は、拡張エリア２２のアプリ表示領域２２１において表示するために、アプリの画面表示の画像データを１つ以上配置した画面表示（ページ）をユーザが作成するときにも利用される。
【００２３】
以下では、表示画面２に対して、本のページを指でめくるようなジェスチャによるタッチ操作（フリック操作）によって表示切り替え指示が入力される場合について主に説明するが、これに限定されない。例えば、拡張エリア２２としてアプリケーション情報を表示している表示画面２の範囲をユーザが短時間接触するタッチ操作など、使用感の良い動作による操作によって、拡張エリア２２の表示切り替え指示が入力できるようにしてもよい。あるいは、専用のアイコンを表示画面２上に表示する、または、スマートフォン１の筐体の表面に表示切り替え指示を入力するためのボタンやタッチセンサなどを備えることによって、表示切り替え指示を入力するように構成してもよい。
【００２４】
なお、表示画面２において、ユーザがタッチ操作した表示画面上の位置を検出する方法については、特に限定はない。例えば、抵抗膜方式、静電容量方式などの電気的な検出方法でもよいし、物理的に接触した圧力を検出してもよい。あるいは、表示画面２に接したユーザの指先などを撮像した画像を解析することによりタッチ位置を検出してもよい。
【００２５】
表示切り替え指示解析部３（表示切り替え指示取得手段）は、操作入力部２３が検知したユーザの表示画面２に対するフリック操作を解析し、表示切り替え指示の内容を取得する。具体的には、ユーザによって表示切り替えが指示された拡張エリア２２を特定し（拡張エリア２２が複数ある表示画面２の場合）、表示切り替え指示の方向（ページ記憶部７に登録されている次のページを表示させるのか、あるいはページ記憶部７に登録されている１つ前のページを表示させるのか）を決定する。そして、決定した表示切り替え指示を拡張エリア表示切り替え指示部４４へ出力する。
【００２６】
アプリ実行部５は、拡張エリア２２に表示するページに含まれるアプリの画面表示の画像データを拡張エリア表示制御部４２に出力する。ここでは、アプリの一例として、時計アプリ５１、カレンダーアプリ５２、および音楽アプリ５３のみを示しているが、これらに限定されず、スマートフォン１が実行するすべてのアプリを実行する。
【００２７】
ページ登録部６は、ユーザによって作成されたページを構成するアプリと、当該アプリの画面表示の配置などを示すページ設定情報をページ記憶部７に登録する。ページ記憶部７は、ユーザが作成したページ設定情報を複数記憶するメモリである。
【００２８】
表示制御部４（表示制御手段）は、標準エリア表示制御部４１、拡張エリア表示制御部４２、ページ情報表示制御部４３、および拡張エリア表示切り替え指示部４４を備えている。
【００２９】
標準エリア表示制御部４１は、標準エリア２１において表示すべきアプリの画面表示の画像データをアプリ実行部５から取得して、標準エリア２１に送る。
【００３０】
なお、アプリ表示領域２２１において表示するページに含まれるアプリの画面表示が小さく、当該画面表示が配置された拡張エリア２２の一部のみを表示すれば足りるような場合には、標準エリア２１に割り当てられた表示面の面積を大きく変更することができる。そこで、標準エリア表示制御部４１は、拡張エリア表示制御部４２から表示するページの表示領域うち、画面表示の表示に要する広さを取得し、標準エリア２１の表示面の広さを拡張エリア２２に表示するページに応じて変更する。この、標準エリア２１の表示面の広さを拡張エリア２２に表示するページ毎に変更する動作については、後に図６を用いて詳述する。
【００３１】
拡張エリア表示切り替え指示部４４は、表示切り替え指示解析部３が決定した表示切り替え指示を取得し、当該表示切り替え指示を拡張エリア表示制御部４２、およびページ情報表示制御部４３に送る。
【００３２】
拡張エリア表示制御部４２は、拡張エリア表示切り替え指示部４４から表示切り替え指示を受けると、該表示切り替え指示に基づいて表示すべきページのページ設定情報をページ記憶部７から取得する。さらに、拡張エリア表示制御部４２は、ページ記憶部７から取得した該表示すべきページに含まれるアプリの画面表示の画像データをアプリ実行部５から取得する。そして、拡張エリア２２のアプリ表示領域２２１に対して、該ページ内の所定の位置にアプリの画面表示が表示されるように出力する。
【００３３】
ページ情報表示制御部４３は、拡張エリア表示切り替え指示部４４から表示切り替え指示を取得し、該表示切り替え指示に対応するページ情報をページ情報表示領域２２２において表示させる。ページ情報とは、前述のように、登録可能なページの数、および当該ページが登録された順番（番号）などを示す、拡張エリア２２で表示するページに関する情報である。
【００３４】
上記の構成により、スマートフォン１は、１つ以上のアプリの画面表示を拡張エリア２２において表示すると共に、ユーザによる表示画面２に対する簡単な操作によって、表示するページを切り替える。拡張エリア２２に表示される複数のアプリの画面表示が切り替わるとき、標準エリア２１に表示するアプリの画面表示は維持される。これにより、操作毎に、標準エリア２１と拡張エリア２２の同時に複数のアプリの画面表示を表示した状態で、拡張エリア２２に表示されるアプリの画面表示を別のアプリの画面表示に次々に切り替えることができる。
【００３５】
（拡張エリアが表示する情報の構成）
以下では、図３と図４を用いて、拡張エリア２２に表示するアプリの画面表示を組み合わせて成るページについて説明する。図３は、拡張エリア２２で表示するページの構成例を示した図である。前述のように、以下では、拡張エリア２２にアプリ表示領域２２１とページ情報表示領域２２２とが含まれている例を示す。
【００３６】
図３に示すように、拡張エリア２２内には、アプリ表示領域２２１とページ情報表示領域２２２が隣接して配されている。アプリ表示領域２２１は、横幅が表示画面２の横幅に等しく（４Ｗ）、高さは表示画面２の全体の高さよりも小さい２Ｌの広さを有する表示エリアである（図２を参照）。
【００３７】
そして、ページ登録部６が、ユーザ操作に基づいて、アプリ表示領域２２１の中に所望のアプリが出力（生成）する画面表示を１つあるいは複数配置（レイアウト）して、アプリの画面表示を含むページを作成する。そして、ページ登録部６が、ユーザ操作に従って作成したページ設定情報は、ページ記憶部７に登録される。
【００３８】
ページ情報表示領域２２２には、複数（図３では６つ）の丸２２２１が示されている。この丸２２２１は、それぞれページ記憶部７に登録（記憶）されているページを示している。すなわち、この丸２２２１の数は、ページ記憶部７に登録（記憶）されている（あるいは、登録可能なページ）の数である。図３の例では、拡張エリア２２において表示できるページとして、６つのページが登録されている。
【００３９】
（拡張エリアが表示するページの例）
図４は、図３に示す構成の拡張エリア２２のアプリ表示領域２２１内にアプリの画面表示を割り当てた一例を示す。具体的には、図４の（ａ）はアプリＡ、（ｂ）はアプリＢ・Ｃ・Ｄ、（ｃ）はアプリＥを割り当てた状態を示した図である。なお、ここでは、登録されるページの総数が６つである場合について示すが、登録可能なページの数は６つに限定されず、１以上の任意の数であってよい。
【００４０】
図４の（ａ）には、アプリＡの画面表示を含むページの例を示している。図４の（ａ）では、ページ情報表示領域２２２に、６つの丸２２２１のうちの左端の丸２２２１が点灯した状態が表示されていることから、アプリ表示領域２２１に表示されているページは、６つ登録されているページの１番目に当たるページであることがわかる。
【００４１】
図４の（ｂ）には、アプリＢ（時計アプリ）、アプリＣ（日めくりアプリ）、およびアプリＤの各画面表示を含んだページの例を示している。図４の（ｃ）では、アプリＥ（コミュニケーションアプリ）の画面表示を含むページの例を示している。
【００４２】
（拡張エリアの表示の切り替え動作）
ここで、図５を用いて、拡張エリア２２に表示したページを、登録されている他のページに切り替える動作について具体的に説明する。図５は、拡張エリア２２の表示を切り替えるために、表示画面２に対してユーザが行う表示切り替え指示の入力操作の例を示す図である。
【００４３】
図５の拡張エリア２２を表示する範囲の表示画面２に対して、ユーザが指などで接触し（例えば、図中の接触Ｔ）、その後、当該接触を継続したまま、表示画面２の表面で指先を素早く滑らせる（表示画面２の表面を軽く掃う）動作（図中の動作Ｆ１あるいは動作Ｒ１）を行うことで、拡張エリア２２の表示を切り替えることができる。この場合、接触Ｔの位置は図５に示すように拡張エリア２２の表示範囲の略中央でなくてもよく、例えば、拡張エリア２２の周縁部であってもよい。ただし、表示画面２に重畳されたタッチパネルが、動作Ｆ１あるいは動作Ｒ１を検知できることが必要である。
【００４４】
また、動作Ｆ１あるいは動作Ｒ１の方向は、図５ではＸ軸の負の方向に向けた動作を動作Ｆ１、Ｘ軸の正の方向に向けた動作を動作Ｒ１として示しているが、これらの方向の判定は緩やかな基準で行う。なぜなら、ユーザがスマートフォン１を片手で把持した状態で、スマートフォン１を把持する方の手の指を無理なく動かすことで拡張エリア２２の表示切り替え指示を入力する操作ができるようにすることが望ましいからである。これにより、ユーザは、スマートフォン１の拡張エリア２２に表示されているアプリの画面表示を含むページを、あたかも本のページをめくるようなジェスチャによって切り替えることができる。
【００４５】
（拡張エリアの表示の切り替え例）
図６を用いて、具体的に拡張エリア２２の表示を切り替える動作を、前述の図４で示したページを例として引用し説明する。図６は、本発明の実施形態１において、拡張エリア２２の表示を切り替える動作について例示して説明する図である。なお、ここでは、説明を簡略化するために、標準エリア２１に表示されるアプリがアプリＸのみである例を挙げて説明するが、標準エリア２１が拡張エリア２２と同様に複数のアプリの画面表示を含む表示を行うことも可能である。
【００４６】
まず、図６の状態ｂに示すように、標準エリア２１にはアプリＸの画面表示が表示されており、一方、拡張エリア２２のアプリ表示領域２２１には、アプリＡの画面表示が含まれるページが表示されている。さらに、拡張エリア２２のページ情報表示領域２２２には現在表示されているページの全登録ページ中での位置を示す情報が表示されている（図４の（ａ）参照）。
【００４７】
図６の状態ｂにあるときに、左方向へのフリック操作（図５で示した接触Ｔおよび動作Ｆ１）をユーザが入力することで、状態ｂの表示から状態ｃの表示へ切り替わる。一方、ユーザが図６の状態ｂにあるときに、右方向へのフリック操作（図５の接触Ｔおよび動作Ｒ１）をユーザが入力することで、状態ｂの表示から状態ａの表示へ切り替わる。もちろん、アプリ表示領域２２１に表示されるページの切り替えに対応して、ページ情報表示領域２２２における表示も切り替わる。
【００４８】
一方、標準エリア２１では、拡張エリア２２に対して上記のように表示切り替え指示が入力されても、標準エリア２１で表示しているアプリＸが生成する画面表示は切り替えない。すなわち、ユーザが拡張エリア２２に対して表示切り替え指示を入力したとき、スマートフォン１の拡張エリア２２に表示されているページのみを切り替えて、標準エリア２１の画面表示は変更しない。これにより、標準エリア２１には、操作対象であるアプリＸを操作入力が可能な状態で表示したまま、拡張エリア２２に表示するアプリの画面表示を変更ことができる。よって、スマートフォン１において、複数のアプリを同時に実行して、当該複数のアプリが生成する画面表示を簡単な操作によって切り替えながら利用することができる。
【００４９】
（拡張エリアの表示例）
図７は、拡張エリア２２の数と配置について例示する図である。なお、図７の（ａ）は、既に説明した配列である。これまでは、１つの表示画面２において、図７の（ａ）に示すように、１または複数のアプリの画面表示を含む複数のページを切り替える制御について説明したが、本発明はこの構成に限定されない。
【００５０】
拡張エリア２２は表示画面２に複数設けられていてもよい。例えば、図７の（ｂ）に示すように、複数の拡張エリア２２は、標準エリア２１を挟むように、上下に各１つずつ配されていてもよい。この場合、標準エリア２１の上側に隣接する拡張エリア２２ではアプリＴ１を含むページを表示し、標準エリア２１の下側に隣接する拡張エリア２２ではアプリＢ１を含むページを表示する。さらに、図７の（ｃ）は、表示画面２の高さ方向（図２のＹ軸方向）に平行に標準エリア２１と拡張エリア２２とを配した例である。また、図７の（ｄ）は標準エリア２１に拡張エリア２２が内包されている例を示している。
【００５１】
もちろん、拡張エリア２２の数および標準エリア２１との位置関係は、任意に選択できることは言うまでもない。そして、拡張エリア２２の数および標準エリア２１との位置関係によらず、各拡張エリア２２を上述した制御によってそれぞれ切り替えることが可能である。
【００５２】
〔実施形態２〕
本発明の他の実施形態に係るスマートフォン１について、図８を用いて説明する。以下、実施形態１と同一の構成には同一の符号を付し、重複する説明を省略する。図８は、拡張エリア２２の表示範囲に合わせて標準エリア２１の表示範囲を変える動作について例示して説明する図である。図８の状態ｃは、実施形態１で示した図６の状態ｃと同じである。
【００５３】
例えば、図８の状態ｃの拡張エリア２２に表示するページを、アプリＥの画面表示を含むページ（図４の（ｃ）参照）に切り替えた場合を考える。アプリＥを含むページは、拡張エリア２２において表示される他のページの半分（図４参照）の表示範囲しかない。このため、拡張エリア２２に表示するページの広さを変更しなければ、拡張エリア２２内にアプリの画面表示を何も含まない余白部分ができてしまう。
【００５４】
そこで、図４の（ｃ）のように、Ｌ方向（横方向）に並んだ全ての表示領域（Ｌ×４Ｗ）がアプリの画面表示を含まないページを拡張エリア表示制御部４２が取得した場合、拡張エリア表示制御部４２は、アプリ表示領域２２１に表示するページの高さを、図８に示すように変更する。すなわち、アプリ表示領域２２１の表示範囲は小さくなり、その分だけ、標準エリア２１の表示範囲が拡大されることで、拡張エリア２２および標準エリア２１の表示エリアの大きさを、互いに相補的に変更する。
【００５５】
図８示すように、状態ｃから状態ｄに表示を切り替えたときに、標準エリア２１の表示範囲（高さ）がＬだけ拡大する。登録されたページに含まれるアプリの画面表示を表示するために必要な拡張エリア２２の表示範囲に合わせて、標準エリア２１と拡張エリア２２との表示範囲を変化させることで、スマートフォン１の表示画面２を有効に活用することができる。
【００５６】
〔実施形態３〕
本発明のさらに他の実施形態について、図９に基づいて説明すれば、以下のとおりである。図９は、上記実施形態１に記載の表示切り替え動作と、標準エリア２１の表示と拡張エリア２２の表示を切り替える動作とを組み合わせた動作を例示して説明する図である。
【００５７】
図９の状態ｄ−１では、標準エリア２１においてアプリＸの画面表示を含むページが表示され、拡張エリア２２においてアプリＥの画面表示を含むページが表示されている。
【００５８】
アプリＥに対して、例えば文字列の入力操作などを実行したい場合、アプリＸからアプリＥに操作対象を変更しなければならない。そのために、まず、拡張エリア２２に表示されているアプリＥを標準エリア２１に表示させることが必要である。
【００５９】
例えば、アプリＥの画面表示を表示している範囲（拡張エリア２２）の表示画面２に対して、上方向へのフリック操作を行えば、状態ｄ−１から状態ｄ−２に表示が変更される。すなわち、標準エリア２１の表示が、アプリＸの画面表示から、拡張エリア２２に表示していたアプリＥの画面表示に切り替わる。ここでのフリック操作は、標準エリア２１の方向へ表示画面２に接触した指先を滑らせる動作である。具体的には、図５で説明した動作と同様に、接触Ｔに続けて、操作Ｆ１および動作Ｒ１と同様の動作をＹ軸の正の方向に向けて行う。なお、フリック動作ではなく、接触Ｔを所定の時間（例えば３秒間）継続するなどにより、状態ｄ−１から状態ｄ−２へ表示が切り替わるようにしてもよい。
【００６０】
この後に、実施形態１および２において説明したように（図６および図７参照）、拡張エリア２２に対する表示切り替え指示を入力することで、拡張エリア２２の表示が、例えば状態ｄ−２から状態ｅへ切り替わる。
【００６１】
以上のように、本実施形態では、以下の２段階の操作をすることによって、標準エリア２１と拡張エリア２２との双方の表示を切り替えている。
（１）標準エリア２１に表示されているアプリＸの画面表示を、拡張エリア２２に表示されているアプリＥが出力する画面表示に変更する。
（２）拡張エリア２２で表示するページを切り替えて、アプリＦの画面表示を含むページに変更する。
【００６２】
なお、図８に示したような複数の拡張エリア２２を備える場合、およびさまざまな拡張エリア２２の表示位置に対しても、上記の表示切り替え方法により、拡張エリア２２と拡張エリア２２との間での表示の切り替え、および、各拡張エリア２２の表示の切り替えを行うことができる。例えば、文字入力などの操作対象となるアプリの画面表示を含むページは、より大きい表示エリア（ここの例では、標準エリア２１）に表示する方が操作性が良い。そこで、図９の状態ｄ−２に示すように、アプリＥの画面表示を含むページを標準エリア２１に表示させることで、ユーザはアプリＥに対して文字入力などの操作を行うことが容易となる。
【００６３】
〔ソフトウェアによる実現例〕
スマートフォン１の制御ブロック（特に表示制御部４の各ブロック）は、集積回路（ＩＣチップ）等に形成された論理回路（ハードウェア）によって実現してもよいし、ＣＰＵ（Central Processing Unit）を用いてソフトウェアによって実現してもよい。
【００６４】
後者の場合、スマートフォン１は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００６５】
〔まとめ〕
本発明の態様１に係る表示装置（スマートフォン１）は、複数のアプリケーションを実行して、該実行中のアプリケーションが生成する画面表示を表示する表示装置であって、上記画面表示を表示する複数の表示エリアと、上記複数の表示エリアのうち、特定の表示エリア（拡張エリア２２）の表示を切り替える指示を取得する表示切り替え指示取得手段（表示切り替え指示解析部３）と、上記表示切り替え指示取得手段が取得した指示に基づいて、上記特定の表示エリア以外の表示エリアに表示する画面表示を生成するアプリケーションは変更せずに、上記特定の表示エリアに表示する画面表示を生成するアプリケーションを変更する表示制御手段（表示制御部４）と、を備えている。
【００６６】
また、本発明の態様５に係る表示装置の制御方法は、複数のアプリケーションを実行し、該実行中のアプリケーションが生成する画面表示を、複数の表示エリアを用いて表示する表示装置の制御方法であって、上記複数の表示エリアのうち、特定の表示エリアの表示を切り替える指示を取得する表示切り替え指示取得ステップと、上記表示切り替え指示取得ステップにて取得した指示に基づいて、上記特定の表示エリア以外の表示エリアに表示する画面表示を生成するアプリケーションは変更せずに、上記特定の表示エリアに表示する画面表示を生成するアプリケーションを変更する表示制御ステップと、を含んでいる。
【００６７】
上記の構成、および制御方法によれば、複数の表示エリアを備える表示装置において、表示切り替え指示に基づいて、特定の表示エリアに表示する画面表示を生成するアプリを変更する。これにより、複数のアプリの画面表示を特定の表示エリアに切り替えて表示させることができるため、複数のアプリを簡便に利用することができる。
【００６８】
さらに、本発明の態様２に係る表示装置は、上記態様１において、上記表示制御手段は、上記複数のアプリケーションがそれぞれ生成する複数の画面表示のうちの少なくとも２つ以上を、１つの上記特定の表示エリアに同時に表示させる。
【００６９】
上記の構成によれば、さらに、特定の表示エリアに複数のアプリの画面表示を同時に表示する。これにより、１つの表示エリアを有効に活用して複数のアプリを簡便に利用することができる。
【００７０】
さらに、本発明の態様３に係る表示装置は、上記態様１または２において、上記表示制御手段は、上記特定の表示エリアおよび上記特定の表示エリア以外の表示エリアの大きさを、互いに相補的に変更する。
【００７１】
上記の構成によれば、さらに、表示画面の表示領域を各表示エリアに最適に割り当てることができる。すなわち、特定の表示エリアに表示するアプリの画面表示の配置や総面積に応じて当該特定の表示エリアの面積を最適に割り当て、残りの面積の表示領域を上記特定の表示エリア以外の表示エリアに割り当てることができる。これにより、大きさの異なる画面表示を生成するアプリを切り替えたときに、表示エリアに空き領域が生じないように表示することが可能となる。よって、アプリが生成する多様な画面表示の表示を効率的に行うことができる。
【００７２】
さらに、本発明の態様４に係る表示装置は、上記態様１から３のいずれかにおいて、上記表示切り替え指示取得手段は、上記表示エリアに重畳して設けられたタッチセンサを介して入力される上記指示を取得する。
【００７３】
上記の構成によれば、さらに、指先などを用いた直観的、かつ簡単な操作によって、アプリが生成する画面表示を切り替えることができる。例えば、画面表示の切り替え指示の入力操作をフリックのジェスチャによって行うようにすれば、本をめくるように次々とアプリの画面表示が配置されたページを切り替えることができる。
【００７４】
本発明の各態様に係る表示装置は、コンピュータによって実現してもよく、この場合には、コンピュータを上記表示装置が備える各手段として動作させることにより上記表示装置をコンピュータにて実現させる表示装置の制御プログラム、およびそれを記録したコンピュータ読み取り可能な記録媒体も、本発明の範疇に入る。
【００７５】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【００７６】
本発明は、複数のアプリケーションソフトウェアを実行することが可能で、かつ、複数の表示エリアを備えた表示画面を有する、スマートフォン、ＰＤＡ（Personal Digital Assistants）などの携帯情報端末に好適に利用することができる。
【符号の説明】
【００７７】
１  スマートフォン
２  表示画面
３  表示切り替え指示解析部（表示切り替え指示取得手段）
４  表示制御部（表示制御手段）
５  アプリ実行部
６  ページ登録部
７  ページ記憶部
２２  拡張エリア（特定の表示エリア）
【図１】
2014119914.tif 000003
【図２】
2014119914.tif 000004
【図３】
2014119914.tif 000005
【図４】
2014119914.tif 000006
【図５】
2014119914.tif 000007
【図６】
2014119914.tif 000008
【図７】
2014119914.tif 000009
【図８】
2014119914.tif 000010
【図９】
2014119914.tif 000011